(57)【要約】      （修正有）【課題】建物屋上で揚重に使用するクレーンの組立解体作業を人力のみで容易に短時間で行う。【解決手段】移動用台車上に親子クレーンを配し、子クレーン２設置組立後、この子クレーンを用いて親クレーン１を揚重する。各部品の質量を２６ｋｇ以下に抑える。またカウンタウェイトに水タンク９を使用することにより、従来は困難であったカウンタウェイトの軽量化に成功。【選択図】図２
2008133062.tif 000002
【特許請求の範囲】
【請求項１】
建物の屋上に設置される組立式親子クレーンであり、子クレーンで親クレーンを組立解体可能な構造になっており、各部品が26kg以下の質量となっている組立式簡易親子クレーン。
【請求項２】
前記組立式簡易屋上親子クレーンは同一フレーム上に親クレーン用のアームと子クレーン用のアームが設置されており、それぞれ別の巻上機（ウインチ）が設置されている組立式簡易親子クレーンである。
【請求項３】
前記クレーンは、台形の台車上前方に門型の主柱を配置し、台車後方より前方の門型の上部斜め方向にパイプ状アームが取り付けられており、このアームに子クレーンとなる回転式巻上機内蔵クレーンを有する組立式簡易親子クレーン。
【請求項４】
前記クレーンは、クレーン用台車後方に、他の台車1台を擁し、その上方にカウンタウェイトとなる水タンクを配する組立式簡易親子クレーン。
【発明の詳細な説明】
【技術分野】
【０００１】
本発明は、建物のリフォーム工事などにおいて、作業者が建物の屋上からの荷揚作業に用いられる屋上型ジブクレーンに関する。
【背景技術】
【０００２】
従来建築物での荷揚げ作業に用いられるクレーンとしては、大型トラッククレーンやその他様々な特殊クレーンがある。しかし、どれも最大定格荷重に対してクレーン本体の質量が非常に重く、組立・解体に非常に時間を要する。
【発明の開示】
【発明が解決しようとする課題】
【０００３】
上記のように、従来のリフォーム工事で使用されるクレーンのほとんどは、現場で多くの部材を組み立てることで構成されるものである。それぞれの部材の質量が重い為、このようなクレーンを用いるには、組んだり撤去したりするのに組立用クレーンなど更に他機械を必要とし、作業に時間を要する。
【０００４】
本発明は、このような問題点に鑑みてなされたものであり、組立、撤去が人力で行える簡単なクレーンを提供する事を課題とする。
【課題を解決するための手段】
【０００５】
請求項１に記載の発明は、建物の屋上において子クレーンを組立設置し、この子クレーンを使い親クレーンを揚重、組立設置するものである。また、全ての部品において質量を26kg以下としている。
【０００６】
請求項２に記載の発明は、請求項１に記載のクレーンであって、一つの移動可能なクレーン架台上において、親クレーン、子クレーンが設置されており、それぞれに巻上機が設置されている。
【０００７】
請求項３に記載の発明は、請求項２に記載のクレーンであって、台形の移動式台車を擁し、この台車前方上に門型の主柱を配し、前記主柱右斜後方に台車よりパイプ状アームが延びており、このアームに回転式巻上機内臓クレーン（子クレーン）を設置、この子クレーンをもって親クレーンの揚重を行う。
【０００８】
請求項４に記載の発明は、請求項３に記載のクレーンであって、前記移動式台車後方に更に別の移動式台車を擁し、その上方に水タンクを設置し、これをカウンタウェイトとする。
【発明の効果】
【０００９】
請求項１に記載の発明では、全ての部品において質量を26kg以下としているため、他機械を一切使用することなく、人力及び子クレーンのみで組立解体を行える。
【００１０】
請求項２に記載の発明では、親クレーン、子クレーンにそれぞれに巻上機が備えられているため、それぞれのクレーンを2台同時もしくは、別々に使用することが出来るなど多様性を備えた親子クレーンとなっている。
【００１１】
請求項３に記載の発明では、親クレーンを子クレーンで揚重するため、親クレーンの建物屋上での組立作業を省く事が可能となり、短時間でクレーンの組立設置が行える。
【００１２】
請求項４に記載の発明では、カウンタウェイトに水タンクを使用する。従来使用されているような重量のカウンタウェイトを地上から揚重する必要が無く、軽量の水タンクを荷台上に設置後、タンク内に水を入れ込みカウンタウェイトとするため、全ての部品を人力で運ぶ事が可能となっている。
【発明を実施するための最良の形態】
【００１３】
以下、本発明に係わる組立式簡易親子クレーンの実施形態について図面を用いて詳細に説明する。
【００１４】
図１は、本発明に関わる組立式簡易親子クレーンの親クレーンの設置形態の平面からの図。図２は、親クレーンの側面からの図。図３は、親クレーンと子クレーンの正面からの図である。建物屋上に台車及び子クレーンを設置するため、それぞれの部材は分解されており、人力で建物内の昇降機を使用し、屋上まで運搬する。
【００１５】
さて、図１にあるようにクレーン用台車は６Aから６Hまでの連結された８つの部材と、その四隅下方に付けられたブレーキ付キャスター７によって出来ている。よって、本発明に関わる組立式簡易親子クレーンはストッパーがついている為、建物屋上にアンカー施工をし、固定する必要がなく、またキャスターによって建物屋上を自在に移動できる仕組になっている。
【００１６】
前記台車６後方に図２に示す１０の台車を備え、これに水タンク９を載せ外部より水を入れ、タンク９自体の重量２６kgに水５００kgを加える事によりカウンタウェイトとする。
【００１７】
前記台車上に３A〜３Cから成る門型主柱を配し（図３）、この後方より門型主柱を支えるサポーター４を固定する（図２）。図３に示す門型主柱（３A〜３C）にマスト１２を固定し、これにアーム１３、巻き上げ機１４、吊りフック１５から成る子クレーンを装着する。尚、前記子クレーン用アーム１３は、旋回可能となっている。
【００１８】
図２に示す親クレーン用巻き上げ装置（ウインチ）８を建物屋上に設置した前記図３の子クレーンにより屋上へと揚重し、その状態のままアーム１３を旋回させ、台車６の上に設置固定する。その後、部材５A、５B、５C、５D、５Eを図２に示すように連結し、親クレーン用のアームとし、建物屋上に設置した前記図３の子クレーンにより屋上へと揚重し、その状態のままアーム１３を旋回させ、台車６と門型主柱３からなる荷台の上に設置固定する（図３）。上記ウインチ８とアーム５を以って親クレーンとする。
【００１９】
実際の本発明に関わる組立式簡易親子クレーンは、建物屋上にて、アーム５、巻き上げ機８ワイヤー１１から成る親クレーン１で８０ｍまでの高さの建物で、４８０ｋｇまでの重量物を、地上の障害物の有無に関わらず、地上から荷揚げする事ができ、アーム１３、巻き上げ装置１４、吊フック１５から成る子クレーン２で３０ｍまでの高さの建物で、１００ｋｇまでの重量物を、親クレーン同様地上障害物の有無に関わらず、地上から荷揚げする事ができる。
【００２０】
移動用キャスター７により屋上を自在に移動し、あらゆる方向から荷揚げを自由に行なう事が可能である。また、親クレーン、子クレーン、それぞれ別々の巻き上げ装置によって駆動させている為、２台同時、別々、又は１台ずつ使用するなど、用途に合わせ２台を使用していい。電源は、単層１００Ｖとしているため、家庭電源で電力を賄うことができる。
【図面の簡単な説明】
【００２１】
【図１】本発明設置状態を示す平面図。
【図２】図1の側面図。
【図３】図1の正面図。
【符号の説明】
【００２２】
１  親クレーン
２  子クレーン
３  主柱
３A〜３B  主柱部材
４  サポーター
５  アーム
５A〜５B  アーム部材
６  クレーン用台車
６A〜６B  台車正面部材
６E、６D  台車側面部材
６F〜６H  台車背面部材
７（７A〜７C）  ブレーキ付キャスター
８  親クレーン用巻上機（ウインチ）
９  カウンタウェイト  水タンク
１０  カウンタウェイト用荷台
１１  ワイヤーロープ
１２  子クレーン用マスト
１３  子クレーン用アーム
１４  子クレーン用巻上機（ウインチ）
１５  吊りフック
【図１】
2008133062.tif 000003
【図２】
2008133062.tif 000004
【図３】
2008133062.tif 000005